(57)【要約】【課題】複数の倉庫棟間で種類の異なる物品が保管されている場合に、物品の積み込み作業及び配送作業を標準化し、物流の管理を容易化し、物流業務を効率化させる。【解決手段】本発明の物流システム１において、記録手段１１は、複数種類の物品と複数種類の物品の保管位置とを関係付けたロケーションデータ１４と、積込対象の物品と積み込みを行う個数とを関係付けた出荷データ１７とを記録する。データ取得手段５は、記録手段１１からロケーションデータ１４と出荷データ１７とを読み出す。物品選択手段７は、ロケーションデータ１４と出荷データ１７とに基づいて、積込対象の物品と積み込みを行う個数と積込対象の物品を保管する倉庫棟とを関係付けた物品選択データ１９を作成する。【選択図】    図１
2004277090.tif 000002
【特許請求の範囲】
【請求項１】
物流システムにおいて、
複数種類の物品と前記複数種類の物品の保管位置とを関係付けたロケーションデータと、積込対象の物品と積み込みを行う個数とを関係付けた出荷データとを記録する記録手段と、
前記記録手段から前記ロケーションデータと前記出荷データとを読み出すデータ取得手段と、
前記ロケーションデータと前記出荷データとに基づいて、前記積込対象の物品と積み込みを行う個数と前記積込対象の物品を保管する倉庫棟とを関係付けた物品選択データを作成する物品選択手段と
を具備する物流システム。
【請求項２】
物流システムにおいて、
複数種類の物品と前記複数種類の物品の保管位置とを関係付けたロケーションデータと、前記複数種類の物品を保管する倉庫棟についての積込順序を示す積込ルートデータと、積込対象の物品と積み込みを行う個数とを関係付けた出荷データとを記録する記録手段と、
前記記録手段から前記ロケーションデータと前記積込ルートデータと前記出荷データとを読み出すデータ取得手段と、
前記ロケーションデータと前記積込ルートデータと前記出荷データとに基づいて、前記積込対象の物品と積み込みを行う個数と前記積込対象の物品を保管する倉庫棟と積込順序とを関係付けた積込指示データを作成する積込指示手段と
を具備する物流システム。
【請求項３】
請求項２記載の物流システムにおいて、
前記出荷データは、前記積込対象の物品と積み込みを行う個数と届先とを関係付けたデータであり、
前記積込指示手段は、前記積込対象の物品と積み込みを行う個数と届先と前記積込対象の物品を保管する倉庫棟と積込順序とを関連付けた積込指示データを作成する
ことを特徴とする物流システム。
【請求項４】
請求項３記載の物流システムにおいて、
前記出荷データと所定の配送順序決定規則にしたがって、前記積込対象の物品と個数と届先と配送順序とを関連付けた配送指示データを作成する配送指示手段を具備することを特徴とする物流システム、
【請求項５】
請求項２乃至請求項４のいずれか１項記載の物流システムにおいて、
前記積込指示手段は、前記積込対象の物品を保管する倉庫棟単位で、前記積込指示データを作成することを特徴とする物流システム。
【請求項６】
コンピュータに、
複数種類の物品と前記複数種類の物品の保管位置とを関係付けたロケーションデータと、積込対象の物品と積み込みを行う個数とを関係付けた出荷データとを記録手段から読み出すデータ取得機能、
前記ロケーションデータと前記出荷データとに基づいて、前記積込対象の物品と積み込みを行う個数と前記積込対象の物品を保管する倉庫棟とを関係付けた物品選択データを作成し、前記記録手段に記録する物品選択機能
を実現させるためのプログラム。
【請求項７】
コンピュータに、
複数種類の物品と前記複数種類の物品の保管位置とを関係付けたロケーションデータと、前記複数種類の物品を保管する倉庫棟についての積込順序を示す積込ルートデータと、積込対象の物品と積み込みを行う個数とを関係付けた出荷データとを記録手段から読み出すデータ取得機能、
前記ロケーションデータと前記積込ルートデータと前記出荷データとに基づいて、前記積込対象の物品と積み込みを行う個数と前記積込対象の物品を保管する倉庫棟と積込順序とを関係付けた積込指示データを作成し、前記記録手段に記録する積込指示機能
を実現させるためのプログラム。
【請求項８】
コンピュータにより物品流通を管理する方法において、
複数種類の物品と前記複数種類の物品の保管位置とを関係付けたロケーションデータと、積込対象の物品と積み込みを行う個数とを関係付けた出荷データとを記録手段から読み出し、
前記ロケーションデータと前記出荷データとに基づいて、前記積込対象の物品と積み込みを行う個数と前記積込対象の物品を保管する倉庫棟とを関係付けた物品選択データを作成し、前記記録手段に記録する
ことを特徴とする方法。
【請求項９】
コンピュータにより物品流通を管理する方法において、
複数種類の物品と前記複数種類の物品の保管位置とを関係付けたロケーションデータと、前記複数種類の物品を保管する倉庫棟についての積込順序を示す積込ルートデータと、積込対象の物品と積み込みを行う個数とを関係付けた出荷データとを記録手段から読み出し、
前記ロケーションデータと前記積込ルートデータと前記出荷データとに基づいて、前記積込対象の物品と積み込みを行う個数と前記積込対象の物品を保管する倉庫棟と積込順序とを関係付けた積込指示データを作成し、前記記録手段に記録する
ことを特徴とする方法。
【発明の詳細な説明】
【０００１】
【発明の属する技術分野】
本発明は、倉庫棟で保管される物品の流通管理を支援する物流システム及びプログラム並びに方法に関する。
【０００２】
【従来の技術】
物流センタには、物品を保管する倉庫棟がその敷地内に設けられている。この物流センタ内の倉庫棟のみで物品が保管できない場合には、近隣の他の場所に存在する自社の倉庫棟で物品を保管するか、あるいは他社から借りた倉庫棟（借庫棟）で物品を保管する。
【０００３】
物品の流通を管理する従来のシステムは、一般的に、一つの物流センタに一台導入され、運用される。
【０００４】
従来のシステムは、物流センタ外の自社倉庫棟又は借庫棟を、物流センタにおける倉庫棟として扱い、物品を中心にロケーション管理を行う。また、従来の物流の管理において、物品出荷のために複数の倉庫棟を経由して積み込みを行う場合の作業指示などは、手作業で行われている。
【０００５】
【非特許文献１】
［ｏｎｌｉｎｅ］、株式会社東芝、［平成１５年３月１４日検索］、インターネット＜ＵＲＬ：ｈｔｔｐ：／／ｗｗｗ．ｂｕｓｉｎｅｓｓ−ｎａｖｉ．ｔｏｓｈｉｂａ．ｃｏ．ｊｐ／ｂ−ｎａｖｉ／ｐ＿４９／ｉｎｄｅｘ＿ｊ．ｈｔｍ＞
【０００６】
【発明が解決しようとする課題】
各倉庫棟で異なる物品が保管されており、それぞれの倉庫棟で保管されている各種の物品を組み合わせて荷揃えを行い、ある届先に出荷する場合がある。さらに、物品が積み込まれる車輌には、複数の届先への物品が積み込まれる場合がある。
【０００７】
このような場合には、先の倉庫棟で届先別に物品を積み込み、次の倉庫棟で積込済みの物品の荷下ろしを行い、先の倉庫棟で積み込まれた物品と次の倉庫棟で積み込まれる物品とを組み合わせて届先別に荷揃えを行い、再度車輌に積み込むという仕分け作業が必要になる。このような仕分け作業は、積込担当者及び車輌運転者によって負担が大きい。
【０００８】
従来のシステムでは、物流センタから場所の離れている倉庫棟を含めて物品が管理されている。しかしながら、複数の倉庫棟間での輸送・配送を含む物流の管理についてはベテランの管理者によって行われている。
【０００９】
したがって、従来のシステムでは、積込担当者、車輌運転者、輸送・配送の管理者などの作業労力が過大となるとともに、作業に専門的な知識が必要となる。
【００１０】
本発明は、以上のような実情に鑑みてなされたもので、物流センタから場所の離れた倉庫棟を含む物品の輸送・配送の管理を支援し、物流関係者の負担を軽減するとともに作業の効率化を図り、物品の輸送・配送サービスの品質向上を図る物品システム及びプログラム並びに方法を提供することを目的とする。
【００１１】
【課題を解決するための手段】
本発明を実現するにあたって講じた具体的手段について以下に説明する。
【００１２】
第１の発明の物流システムにおいて、記録手段は、複数種類の物品と複数種類の物品の保管位置とを関係付けたロケーションデータと、積込対象の物品と積み込みを行う個数とを関係付けた出荷データとを記録する。データ取得手段は、記録手段からロケーションデータと出荷データとを読み出す。物品選択手段は、ロケーションデータと出荷データとに基づいて、積込対象の物品と積み込みを行う個数と積込対象の物品を保管する倉庫棟とを関係付けた物品選択データを作成する。
【００１３】
第２の発明の物流システムにおいて、記録手段は、複数種類の物品と複数種類の物品の保管位置とを関係付けたロケーションデータと、複数種類の物品を保管する倉庫棟についての積込順序を示す積込ルートデータと、積込対象の物品と積み込みを行う個数とを関係付けた出荷データとを記録する。データ取得手段は、記録手段からロケーションデータと積込ルートデータと出荷データとを読み出す。積込指示手段は、ロケーションデータと積込ルートデータと出荷データとに基づいて、積込対象の物品と積み込みを行う個数と積込対象の物品を保管する倉庫棟と積込順序とを関係付けた積込指示データを作成する。
【００１４】
なお、上記第２の発明において、出荷データは積込対象の物品と積み込みを行う個数と届先とを関係付けたデータであり、積込指示手段は積込対象の物品と積み込みを行う個数と届先と積込対象の物品を保管する倉庫棟と積込順序とを関連付けた積込指示データを作成するとしてもよい。
【００１５】
また、上記第２の発明において、出荷データに届先が含まれる場合、出荷データと所定の配送順序決定規則にしたがって、積込対象の物品と個数と届先と配送順序とを関連付けた配送指示データを作成する配送指示手段を具備するとしてもよい。
【００１６】
また、上記第２の発明において、積込指示手段は積込対象の物品を保管する倉庫棟単位で、積込指示データを作成するとしてもよい。
【００１７】
上記第１及第２の発明で作成されたデータを用いることにより、物流管理の効率化が図られる。
【００１８】
本発明における上記各手段は、コンピュータに読み込まれたプログラムにより実現されるとしてもよい。
【００１９】
また、コンピュータにより物品流通を管理する方法として上記物流システムによって実施される動作内容を用いてもよい。
【００２０】
【発明の実施の形態】
以下、図面を参照しながら本発明の実施の形態について説明する。
【００２１】
（第１の実施の形態）
本実施の形態においては、物品を保管する複数の倉庫棟間が離れており、ある物流センタにおいてこの複数の倉庫棟が管理され、倉庫棟間の物品移動に用いられる最適な車輌手配、及び最適な積込指示を行う物流システムについて説明する。
【００２２】
図１は、本実施の形態に係る物流システムの構成の一例を示すブロック図である。
【００２３】
本実施の形態に係る物流システム１では、場所の離れた倉庫棟に保管される物品の流通を、物品別の積込パターン又は届先別の積込パターンで管理する。
【００２４】
物流システム１は、記録媒体２に記録されている物流プログラム３を読み込み、実行することにより、設定機能４、データ取得機能５、車輌選択機能６、物品選択機能７、積込指示機能８、配送指示機能９、出力機能１０を実現する。また、物流システム１は、各種データを記録する記録部１１を具備する。なお、物流システム１に具備されている記録部１１は、外付けの記録装置でもよい。
【００２５】
設定機能４は、物品の流通の管理に必要とされる各種データを管理者又は外部システムから受け付け、記録部１１に記録する。例えば、設定機能４は、車輌属性データ１２、物品属性データ１３、ロケーションデータ１４、積込ルートデータ１５、配送ルートデータ１６、出荷データ１７を受け付け、記録部１１に記録する。
【００２６】
ここで、車輌属性データ１２は、各種車輌について積載可能な重量や容量などの属性情報を表す。
【００２７】
物品属性データ１３は、物品の重さ、容量などの属性情報を表す。
【００２８】
ロケーションデータ１４は、複数種類の物品と複数種類の物品の保管位置とを関係付けたデータである。
【００２９】
積込ルートデータ１５は、複数の倉庫棟の間で積み込みを行う順序を決定する所定の規則の定義内容を表す。本実施の形態では、積込ルートデータ１５は、複数種類の物品を保管する倉庫棟についての積込順序を示すとする。例えば、積込ルートデータ１５は、「倉庫棟Ａ、倉庫棟Ｂ、倉庫棟Ｃ…出荷」の順で、積み込み作業を行う旨を表す。
【００３０】
配送ルートデータ１６は、複数の届先の間で配送を行う順序を決定する所定の規則の定義内容を表す。例えば、配送ルートデータ１６は、届先についての配送順序を示すデータとすることができる。
【００３１】
出荷データ１７は、積込対象の物品（出荷対象の物品）、積み込みを行う個数、届先、出荷日時などを関係付けたデータである。
【００３２】
データ取得機能５は、設定機能４により設定され記録部１１に記録された車輌属性データ１２、物品属性データ１３、ロケーションデータ１４、積込ルートデータ１５、配送ルートデータ１６、出荷データ１７を読み出す。
【００３３】
車輌選択機能６は、データ取得機能５によって読み出された車輌属性データ１２と物品属性データ１３と出荷データ１７とに基づいて、積込対象の物品を出荷する個数分積み込み可能な車輌を選択し、車輌選択結果を示す車輌データ１８を記録部１１に記録する。車輌選択機能６は、例えば物品の個数と重さと容量から積込対象の物品全体の重さ及び容量を求め、この積込対象の物品全体を積載可能な車輌を選択する。
【００３４】
物品選択機能７は、物流の管理設定に応じて、データ取得機能５によって読み出されたロケーションデータ１４と出荷データ１７とに基づいて、積込対象の物品と積み込みを行う個数と積込対象の物品を保管する倉庫棟とを関係付けた物品選択データ１９を作成し、記録部１１に記録する。物品選択データ１９は、各倉庫棟に保管されている物品から積込対象の物品の引当に用いられる。なお、物品選択機能７は、積込対象の物品を保管する倉庫棟単位で、物品選択データを作成してもよい。
【００３５】
積込指示機能８は、データ取得機能５によって読み出されたロケーションデータ１４と積込ルートデータ１５と出荷データ１７、記録部１１に記録されている車輌データ１８に基づいて、物流の管理設定に応じて各種の積込指示データ２０を作成し、記録部１１に記録する。なお、積込指示機能８は、物品選択データ１９と積込ルートデータ１５とに基づいて、積込指示データ２０を作成するとしてもよい。
【００３６】
例えば、積込指示機能８は、物流の管理設定に応じて、ロケーションデータ１４と積込ルートデータ１５と出荷データ１７と車輌データ１８とに基づいて、選択された車輌について積込対象の物品と積み込みを行う個数と届先と積込対象の物品を保管する倉庫棟と積込順序とを関係付けた積込指示データ２０を作成する。
【００３７】
また、積込指示機能８は、物流の管理設定に応じて、積込対象の物品を保管する倉庫棟単位で、積込指示データを作成してもよい。例えば、積込指示機能８は、積込対象の物品を保管する倉庫棟Ａ〜Ｃ単位で、それぞれ積込指示データ２０Ａ〜２０Ｃを作成し、記録部１１に記録する。
【００３８】
ここで、例えば、物品の届先が指定されてなく、単に複数の倉庫棟から物品を集荷することを目的として作成される積込指示データ２０を、集荷指示データ２１としてもよい。
【００３９】
積込指示機能８は、物流の管理設定に応じて、集荷指示データ２１を作成する。なお、積込指示機能８は、集荷の行われる倉庫棟単位で、集荷指示データを作成するとしてもよい。
【００４０】
配送指示機能９は、データ取得機能５によって読み出された出荷データと配送ルートデータと、記録部１１に記録されている車輌データ１８とに基づいて、選択された車輌について積込対象の物品と個数と届先と配送順序とを関係付けた配送指示データ２２を作成し、記録部１１に記録する。
【００４１】
出力機能１０は、記録部１１に記録されている車輌データ１８、物品選択データ１９、積込指示データ２０、集荷指示データ２１、配送指示データ２２、積込指示データ２０Ａ〜２０Ｃなどの各種データを、必要に応じて他のシステム、プリンタ等の出力機器、様々なクライアントに提供する。
【００４２】
図２は、本実施の形態に係る物流システム１のハードウェア構成の例を示すブロック図である。この図２では、管理事務所のシステムＳと倉庫棟ＡのシステムＳＡとがネットワークＮ１で接続され、管理事務所のシステムＳと倉庫棟ＢのシステムＳＢとがネットワークＮ２で接続されている。
【００４３】
管理事務所のシステムＳは、物流システム１、データベース（例えばディスクアレイ）２３、ＥＤＩサーバ２４、クライアント２５、プリンタ２６、ルータ２７ａ，２７ｂを具備する。
【００４４】
物流システム１、ＥＤＩサーバ２４、クライアント２５、プリンタ２６、ルータ２７ａ，２７ｂは、それぞれネットワーク２８に接続されている。
【００４５】
ルータ２７ａは、上位システム２９と管理事務所のシステムＳとを通信可能に接続する。ルータ２７ｂは、管理事務所のシステムＳを、ネットワークＮ１経由で倉庫棟ＡのシステムＳＡと通信可能に接続するとともに、ネットワークＮ２経由で倉庫棟ＢのシステムＳＢと通信可能に接続する。
【００４６】
物流システム１は、ＣＰＵ３０、メモリ３１、ハードディスク３２を具備し、データベース２３をアクセスする。ここで、メモリ３１、ハードディスク３２、データベース２３は、上記記録部１１に相当する。ＣＰＵ３０は、上記設定機能４、データ取得機能５、車輌選択機能６、物品選択機能７、積込指示機能８、配送指示機能９、出力機能１０を実現するための制御を行う。
【００４７】
倉庫棟ＡのシステムＳＡは、ルータ３３、クライアント３４、プリンタ３５を具備する。ルータ３３は、倉庫棟ＡのシステムＳＡを、ネットワークＮ１経由で管理事務所のシステムＳと通信可能に接続する。倉庫棟ＢのシステムＳＢは、倉庫棟ＡのシステムＳＡと同様の構成であるため、説明を省略する。
【００４８】
物流システム１によって作成された車輌データ１８、物品選択データ１９、積込指示データ２０、集荷指示データ２１、配送指示データ２２は、出力機能１０によって、各システムＳＡ，ＳＢのクライアント３４、プリンタ３５に提供され、出力される。
【００４９】
この図２では、倉庫棟ＡのシステムＳＡにおいて、物品選択データ１９、積込指示データ２０、配送指示データ２２、倉庫棟Ａの集荷指示データに基づいて、それぞれピッキングリスト（物品選択リスト）３６、積込指示書３７、配送指示書３８、倉庫棟Ａの集荷指示書３９Ａが出力されている。
【００５０】
また、倉庫棟ＢのシステムＳＢにおいて物品選択データ１９、倉庫棟Ｂの集荷指示データに基づいて、それぞれピッキングリスト３６、倉庫棟Ｂの集荷指示書３９Ｂが出力されている。
【００５１】
図３は、ロケーションデータ１４の一例を示す図である。
【００５２】
ロケーションデータ１４は、倉庫テーブル１４ａと倉庫在庫ロケーションテーブル１４ｂとを含む。
【００５３】
倉庫テーブル１４ａは、物流センタ、グループ群、グループ、倉庫群、倉庫棟、倉庫属性を関係付けている。ここで、倉庫群は、倉庫棟の集合単位である。グループは、倉庫群の集合単位であり特定地域毎に区切られる。グループ群は、グループの集合単位であり特定地区毎に区切られる。物流センタは、グループ群における物流を管理する。
【００５４】
倉庫在庫ロケーションテーブル１４ｂは、倉庫棟、フロア、プロック、スパン、列、棚、段、配列、保管している物品、保管している物品の在庫数を関係付けている。倉庫棟は物品を保管する独立の単位である。フロアは倉庫棟内の階である。プロックは倉庫棟内の柱などの単位である。スパンは倉庫棟内の通路で区切られる区画である。列、棚、段、配列も同様に、物品の保管番地を特定する単位である。
【００５５】
このようなロケーションデータ１４を参照することで、どの物品がどこに何個保管されているか把握できる。
【００５６】
物品の在庫管理は、倉庫在庫ロケーションテーブル１４ｂで行われる。倉庫在庫ロケーションテーブル１４ｂで管理される倉庫棟コードにより、倉庫テーブル１４ａと倉庫在庫ロケーションテーブル１４ｂとが関係付けされ、倉庫属性が取得される。
【００５７】
図４は、出荷データ１７の一例を示す図である。
【００５８】
出荷データ１７は、伝票番号、出荷日時、便、届先住所、届先、物品、積み込みを行う個数（出荷数量）などを関係付けている。届先に複数の物品を出荷する場合には、出荷データに、複数の物品と数量とが含まれる。
【００５９】
図５は、本実施の形態に係る物流システム１の積み込み及び配送支援動作を示すフローチャートである。
【００６０】
ステップＳ１において、物流システム１は、倉庫棟を管理する情報に輸配送があるか否かを表すための区分を付する。
【００６１】
ステップＳ２において、物流システム１の設定機能４は、各種データを受け付け、記録部１１に記録する。
【００６２】
例えば、設定機能４は、各倉庫棟についての積込ルートデータ１５を受け付け、記録部１１に記録する。
【００６３】
また、設定機能４は、物品を保管する位置についてロケーションデータ（倉庫棟コード）１４を受け付け、記録部１１に記録する。各種の物品は、このロケーションデータ１４の内容にしたがって、各倉庫棟に保管されているとする。
【００６４】
また、設定機能４は、物品を届先に出荷するための出荷データ１７を受け付け、記録部１１に記録する。
【００６５】
設定機能４は、その他にも車輌属性データ１２、物品属性データ１３、配送ルートデータ１６なども必要に応じて受け付け、記録部１１に記録する。
【００６６】
ステップＳ３において、物流システム１のデータ取得機能５は、設定機能４によって記録された各種データを記録部１１から読み出す。
【００６７】
ステップＳ４において、物流システム１の車輌選択機能６は、出荷データ１７の示す出荷日時、届先、積み込みを行う物品と個数、物品属性データ１３の示す物品の重さ、容量、車輌属性データ１２の示す積載可能な重量、容量等などの情報に基づいて、運送車輌を決定する。
【００６８】
ステップＳ５において、物流システム１の物品選択機能７は、決定された車輌単位で、物品別に物品を揃えるか、あるいは届先別に物品を揃えるかなど、物品を揃える基準を物品の管理設定から判断する。原則としては、積み込まれる物品は物品別に揃えられるとする。
【００６９】
ステップＳ６において、物品選択機能７は、ロケーションデータ１４と出荷データ１７とに基づいて、倉庫棟に保管されている積込対象の物品の引当を行い、引当結果から物品選択データ１９を作成し、記録部１１に記録する。
【００７０】
ステップＳ７において、物流システム１の出力機能１０は、記録部１１の物品選択データ１９を各倉庫棟のシステムに出力し、物品の選択を指示する。
【００７１】
これにより、各倉庫棟では、ピッキングリスト３６が出力され、ピッキングリスト３６に記載されている物品情報にしたがって、倉庫棟に保管されている物品の中から積込対象の物品が把握される。
【００７２】
倉庫棟では、保管されている物品の中から積み込む個数分の積込対象の物品が選択され、出荷仮エリアに運ばれる。
【００７３】
なお、積込対象の物品の品揃えは原則として物品別に行われる。各倉庫棟において物品の選択が行われると、その選択結果が物流システム１に入力される。
【００７４】
ステップＳ８ａにおいて、物流システム１の積込指示機能８は、各倉庫棟における物品の選択結果を入力すると、ロケーションデータ１４、積込ルートデータ１５、出荷データ１７、車輌データ１８に基づいて、各倉庫棟において選択された物品を積込順序にしたがって車輌に積み込むために用いられる積込指示データ２０を作成し、記録部１１に記録する。なお、積込指示データ２０は、物品別に積み込まれた物品について届先別に仕分けを行うか否かを示す情報を含む場合がある。積込対象の物品を保管する倉庫棟Ａ〜Ｃ毎に積込指示データ２０Ａ〜２０Ｃを作成してもよい。
【００７５】
ステップＳ８ｂにおいて、物流システム１の配送指示機能９は、各倉庫棟における物品の選択結果を入力すると、配送ルートデータ１６、出荷データ１７、車輌データ１８に基づいて、車輌に積み込まれた物品を配送順序にしたがって届先に配送するために用いられる配送指示データ２２を作成し、記録部１１に記録する。
【００７６】
ステップＳ９において、物流システム１の出力機能１０は、積込指示データ２０と配送指示データ２２とを、各倉庫棟のシステムのうち適当な出力先に出力し、積込指示書３７、配送指示書３８を発行する。
【００７７】
例えば、出力機能１０は、倉庫棟Ａ〜Ｃ毎の積込指示データ２０Ａ〜２０Ｃを、対応する各倉庫棟Ａ〜Ｃのシステムに出力し、倉庫棟Ａ〜Ｃ毎の積込指示書が倉庫棟Ａ〜Ｃ毎に印刷される。複数の倉庫棟全体の積込指示データ２０と配送指示データ２２とは、積込順序において最初の倉庫棟Ａのシステムに対して出力され、複数の倉庫棟全体の積込指示書３７と配送指示書３８が印刷される。印刷された複数の倉庫棟全体の積込指示書３７と配送指示書３８は、車輌の運転手に渡される。
【００７８】
なお、印刷された積込指示書３７には、物品別に積み込んだ物品を届先別に仕分けするか否かについても記載されている。
【００７９】
車輌の運転者は、積込指示書３７にしたがって各倉庫棟を周回し、積込対象の物品を検品しながら車輌に積み込む。
【００８０】
ここで、物品別に積み込んだ物品を届先別に仕分けする旨の記載が積込指示書３７にある場合には、運転者などの物流関係者によって、車輌に積み込まれた物品の荷下ろしが行われ、届先別に仕分けされる。そして、届先別に仕分けされた物品は、配送指示書３８にしたがって、届先と配送順序とに応じて再び車輌に積み込まれる。
【００８１】
その後、運転者は配送指示書３８にしたがって、積み込まれた物品を各届先に配送する。
【００８２】
図６は、本実施の形態に係る物流システム１によって作成される積込指示書と配送指示書３８を用いた物品の積み込み状態及び配送状態の第１例を示す図である。この図６では、積込対象の物品が物品別に選択され、積込対象の物品が物品単位で品揃えされるパターンを示す。
【００８３】
積込対象の物品が保管されており積み込みが行われる倉庫棟Ａ〜Ｃでは、それぞれの倉庫棟の積込指示書３７Ａ〜３７Ｃが印刷される。また、積み込みが行われる倉庫棟Ａ〜Ｃにうち最初に積み込みが行われる倉庫棟Ａでは、積み込みが行われる倉庫棟Ａ〜Ｃ全体の積込指示書３７と配送指示書３８が印刷される。
【００８４】
各倉庫棟Ａ〜Ｃでは、物品選択データ１９に基づいて印刷されるピッキングリスト３６にしたがって、物品別に積込対象の物品が選択される。
【００８５】
車輌は、積込指示書３７に基づいて、積込順序にしたがって積込対象の物品を保管する倉庫棟Ａ〜Ｃを周回し、選択された物品を積み込む。なお、物品別に積み込まれた物品を届先別に仕分けする旨が積込指示書３７に記載されている場合には、運転者などの物流関係者によって車輌に積み込まれた物品の荷下ろしが行われ、物品が届先別に仕分けが行われ、この車輌に対して届先別に仕分けされた物品が配送順序の逆順で積み込まれる。
【００８６】
そして、車輌は、配送指示書３８に基づいて、配送順序に物品を届先に配送する。
【００８７】
図７は、本実施の形態に係る物流システム１によって作成された積込指示書と配送指示書を用いた物品の積み込み状態及び配送状態の第２例を示す図である。この図７では、積込対象の物品が届先別に選択され、届先単位で物品が品揃えされるパターンを示す。
【００８８】
積込対象の物品が保管されており積み込みが行われる倉庫棟Ａ〜Ｃでは、それぞれの倉庫棟の積込指示書３７Ａ〜３７Ｃが印刷される。また、積み込みが行われる倉庫棟Ａ〜Ｃにうち最初に積み込みが行われる倉庫棟Ａでは、積み込みが行われる倉庫棟Ａ〜Ｃ全体の積込指示書３７と配送指示書３８が印刷される。
【００８９】
各倉庫棟Ａ〜Ｃでは、物品選択データ１９に基づいて印刷されるピッキングリスト３６にしたがって届先別に積込対象の物品が選択される。
【００９０】
車輌は、積込指示書３７に基づいて、積込順序に積込対象の物品を保管する倉庫棟Ａ〜Ｃを周回し、届先別に選択された物品を積み込む。
【００９１】
そして、車輌は、配送指示書３８を用いて、配送順序にしたがって物品を届先に配送する。
【００９２】
図８は、本実施の形態に係る積込指示書の第１例を示す図である。この図８では、積み込みが行われる倉庫棟Ａ〜Ｃの全てについての届先別積込指示書３７を示す。
【００９３】
積込指示データ２０は、選択された車輌について積込対象の物品と積み込みを行う倉庫棟と積み込みを行う個数と届先とが関係付けされている。積込指示書３７は、この積込指示データ２０の状態を表形式で印刷して得られる。
【００９４】
図９は、本実施の形態に係る積込指示書の第２例を示す図である。この図９では、積み込みが行われる倉庫棟単位の届先別積込指示書を示す。なお、この図９の積込指示書は、倉庫棟Ｂについての積込指示書３７Ｂである。
【００９５】
積込指示データ２０Ｂは、選択された車輌について、倉庫棟Ｂに保管されている積込対象の物品と積み込みを行う個数と届先とが関係付けされている。積込指示書３７は、この積込指示データ２０Ｂの状態を表形式で印刷して得られる。
【００９６】
図１０は、本実施の形態に係る積込指示書の第３例を示す図である。この図１０では、積み込みが行われる倉庫棟Ａ〜Ｃの全てについての物品別積込指示書３７を示す。
【００９７】
積込指示データ２０は、選択された車輌について積込対象の物品と積み込みを行う倉庫棟と積み込みを行う個数とが関係付けされている。積込指示書３７は、この積込指示データ２０の内容を表形式で印刷して得られる。
【００９８】
上記図８から図１０に示す積込指示書にしたがって積み込まれた物品は、配送指示書３８にしたがって届先に配送される。
【００９９】
図１１は、本実施の形態に係る配送指示書３８の一例を示す図である。
【０１００】
配送指示データ２２は、選択された車輌について届先と配送順序と届先に配送する物品と配送する個数とが関係付けされている。配送指示書３８は、この配送指示データ２２の内容を表形式で印刷して得られる。
【０１０１】
以上説明した本実施の形態に係る物流システム１では、複数の倉庫棟間で種類の異なる物品が保管されている場合に、物品の積み込み作業及び配送作業を標準化でき、物流の管理を容易に行うことができ、物流業務を効率化させることができる。
【０１０２】
すなわち、本実施の形態では、物流センタから場所の離れた倉庫棟を含む複数の倉庫棟間で行われる物品の輸送、配送作業を効果的に支援できる。これにより、物流関係者の作業負担を軽減させることができ、物流において必要な作業が効率化され、物品の輸送・配送サービスの品質を向上させることができる。
【０１０３】
（第２の実施の形態）
本実施の形態では、上記図１に示す物流システム１によって集荷指示データ２１が作成される場合について説明する。
【０１０４】
本実施の形態では、ある車輌によって複数の倉庫棟から出荷対象の物品を集荷し、他の車輌によって集荷された物品を届先に配送する場合を例として説明する。
【０１０５】
図１２は、物流システム１の集荷及び配送支援動作を示すフローチャートである。
【０１０６】
ステップＴ１〜Ｔ３は、上記図５のステップＳ１〜Ｓ３と同様である。
【０１０７】
ステップＴ４において、物流システム１の車輌選択機能６は、出荷データ１７の示す出荷日時、届先、積み込みを行う物品と個数、物品属性データ１３の示す物品の重さ、容量、車輌属性データ１２の示す積載可能な重量、容量等などの情報に基づいて、集荷用の運送車輌と配送用の車輌を決定し、結果を車輌データ１８として記録部１１に記録する。
【０１０８】
ステップＴ５は、上記図５のステップＳ５と同様である。
【０１０９】
ステップＴ６において、物流システム１の物品選択機能７は、ロケーションデータ１４と出荷データ１７とに基づいて、倉庫棟に保管されており集荷対象の物品の引当を行い、引当結果から物品選択データ１９を作成し、記録部１１に記録する。
【０１１０】
ステップＴ７において、物流システム１の出力機能１０は、記録部１１の物品選択データ１９を各倉庫棟のシステムに出力し、物品の選択を指示する。
【０１１１】
これにより、各倉庫棟では、ピッキングリスト３６が出力され、ピッキングリスト３６に記載されている物品情報にしたがって、倉庫棟に保管されている物品の中から集荷対象の物品が把握される。
【０１１２】
倉庫棟では、保管されている物品の中から集荷される個数分の集荷対象の物品が選択され、出荷仮エリアに運ばれる。
【０１１３】
なお、集荷対象の物品の品揃えは原則として物品別に行われる。各倉庫棟における物品の選択が行われると、その選択結果が物流システム１に入力される。
【０１１４】
ステップＴ８ａにおいて、物流システム１の積込指示機能８は、各倉庫棟における物品の選択結果を入力すると、ロケーションデータ１４、積込ルートデータ１５、出荷データ１７、車輌データ１８に基づいて、各倉庫棟において選択された物品を集荷順序にしたがって車輌に積み込むために用いられる集荷指示データ２１を作成し、記録部１１に記録する。
【０１１５】
ステップＴ８ｂにおいて、物流システム１の配送指示機能９は、各倉庫棟における物品の選択結果を入力すると、配送ルートデータ１６、出荷データ１７、車輌データ１８に基づいて、集荷された物品を配送順序にしたがって届先に配送するために用いられる配送指示データ２２を作成し、記録部１１に記録する。
【０１１６】
ステップＴ９において、物流システム１の出力機能１０は、集荷指示データ２１と配送指示データ２２とを、各倉庫棟のシステムのうち適当な出力先に出力し、集荷指示書、配送指示書３８を発行する。
【０１１７】
例えば、集荷指示データは、各倉庫棟毎に作成され、各倉庫棟毎の集荷指示データは、各倉庫棟のシステムに対して出力され、倉庫棟毎の集荷指示書が倉庫棟毎に印刷されるとしてもよい。
【０１１８】
なお、倉庫棟毎の集荷指示データの代わりに、上記第１の実施の形態と同様に倉庫棟毎の積込指示データが各倉庫棟のシステムに出力されてもよい。
【０１１９】
また、複数の倉庫棟全体の集荷指示データ２１と配送指示データ２２とは、集荷順序において最初の倉庫棟のシステムに対して出力され、集荷順序における最初の倉庫棟において複数の倉庫棟全体の集荷指示書と配送指示書３８が印刷されるとしてもよい。
【０１２０】
印刷された複数の倉庫棟全体の集荷指示書と配送指示書３８は、集荷用の車輌の運転手に渡される。
【０１２１】
なお、集荷した物品とその届先とその配送順序とを示す仕分け指示データが、集荷順序における最後の倉庫棟のシステムに対して出力され、集荷順序における最後の倉庫棟において仕分け指示書が印刷されるとしてもよい。
【０１２２】
集荷用の車輌の運転者は、集荷指示書にしたがって各倉庫棟を周回し、集荷対象の物品を検品しながら車輌に積み込む。
【０１２３】
出荷場の設置されている倉庫棟で、運転者などの物流関係者は、集荷用の車輌に積み込まれた物品を車輌から下ろす。
【０１２４】
ここで、集荷した物品を届先別に仕分けする指示のある場合、集荷された物品が、配送指示書３８又は仕分け指示書にしたがって届先別に仕分けされる。
【０１２５】
集荷された物品は配送用の車輌に積み込まれ、集荷後に届先別に仕分けされた物品は配送用の車輌に配送順序の逆順となるように積み込まれる。
【０１２６】
その後、配送用車輌の運転者は配送指示書３８にしたがって、積み込まれた物品を配送する。
【０１２７】
図１３は、本実施の形態に係る物流システム１によって作成される集荷指示書と配送指示書３８を用いた物品の集荷と配送の状態の第１例を示す図である。この図１３では、集荷対象の物品が物品別に選択され、届先単位で物品が積み込まれるパターンを示す。
【０１２８】
集荷対象の物品が保管されており集荷が行われる倉庫棟Ａ〜Ｃでは、それぞれの倉庫棟Ａ〜Ｃ毎の集荷指示書又は積込指示書３７Ａ〜３７Ｃが印刷される。また、集荷が行われる倉庫棟Ａ〜Ｃのうち最初に集荷が行われる倉庫棟Ａでは、集荷が行われる倉庫棟Ａ〜Ｃ全体の集荷指示書４０と配送指示書３８が印刷される。
【０１２９】
各倉庫棟Ａ〜Ｃでは、物品選択データ１９に基づいて印刷されるピッキングリスト３６にしたがって、物品別に集荷対象の物品が選択される。
【０１３０】
集荷用の車輌は、集荷指示書４０に基づいて、集荷順序にしたがって集荷対象の物品を保管する倉庫棟Ａ〜Ｃを周回し、選択された物品を積み込む。
【０１３１】
集荷された物品は、出荷場の設置されている倉庫棟Ｃで集荷用の車輌から下ろされる。運転者などの物流関係者は、配送指示書３８又は仕分け指示書４１にしたがって集荷された物品を届先別に仕分けする。届先別に仕分けされた物品は、配送順序の逆順となるように配送用の車輌に積み込まれる。
【０１３２】
図１４は、本実施の形態に係る物流システム１によって作成された集荷指示書４０と配送指示書３８を用いた物品の集荷と配送の状態の第２例を示す図である。この図１４では、集荷対象の物品が届先別に選択され、届先単位で物品が積み込まれるパターンを示す。
【０１３３】
集荷対象の物品が保管されており集荷が行われる倉庫棟Ａ〜Ｃでは、それぞれの倉庫棟Ａ〜Ｃ毎の集荷指示書又は積込指示書３７Ａ〜３７Ｃが印刷される。また、集荷が行う倉庫棟Ａ〜Ｃにうち最初に集荷が行われる倉庫棟Ａでは、集荷を行う倉庫棟Ａ〜Ｃ全体の集荷指示書４０と配送指示書３８が印刷される。
【０１３４】
各倉庫棟Ａ〜Ｃでは、物品選択データ１９に基づいて印刷されるピッキングリスト３６にしたがって、届先別に集荷対象の物品が選択される。
【０１３５】
集荷用の車輌は、集荷指示書４０に基づいて、集荷順序にしたがって集荷対象の物品を保管する倉庫棟Ａ〜Ｃを周回し、選択された物品を積み込む。
【０１３６】
集荷された物品は、出荷場の設置されている倉庫棟Ｃで集荷用の車輌から下ろされる。運転者などの物流関係者は、集荷された届先別の物品を配送順序と逆の順序で配送用の車輌に積み込む。
【０１３７】
図１５は、本実施の形態に係る集荷指示書の一例を示す図である。この図１５では、集荷の行われる倉庫棟Ａ〜Ｃの全てについての物品別の集荷指示書４０を示す。
【０１３８】
集荷指示データ２１は、選択された集荷用の車輌について集荷対象の物品と集荷を行う倉庫棟と集荷を行う個数とが関係付けされている。集荷指示書４０は、この集荷指示データ２１の内容を表形式で印刷して得られる。
【０１３９】
以上説明した本実施の形態に係る物流システム１では、複数の倉庫棟間で種類の異なる物品が保管されている場合に、物品の集荷作業及び配送作業を標準化でき、物流の管理を容易に行うことができ、物流業務を効率化させることができる。
【０１４０】
なお、上記各実施の形態において、物流システム１の各構成要素は、プログラムにより実現される部分がハードウェアによって実現されるとしてもよい。
【０１４１】
また、上記各実施の形態に係る物流システム１に具備される各構成要素は、同様の動作を実現可能であれば配置を変更させてもよく、また各構成要素を自由に組み合わせてもよく、各構成要素を自由に分割してもよい。例えば、積込指示機能８と配送指示機能９とを統合し、単一の部分としてもよい。また、設定機能４とデータ取得機能５とを統合してもよい。また、車輌選択機能６、物品選択機能７、積込指示機能８、配送指示機能９は、データ取得機能５を経由して記録部１１からデータを読み出すのではなく、データ取得機能５を経由することなく直接記録部１１からデータを読み出してもよい。
【０１４２】
また、上記各実施の形態に係る物流システム１は複数の計算機により構成され、物流プログラム３は複数の計算機に分散して配置され、互いに連携を取りつつ処理を実行するとしてもよい。
【０１４３】
【発明の効果】
以上詳記したように本発明においては、複数の倉庫棟間で種類の異なる物品が保管されている場合に、物品の積み込み作業及び配送作業を標準化でき、物流の管理を容易に行うことができ、物流業務を効率化させることができる。
【図面の簡単な説明】
【図１】本発明の実施の形態に係る物流システムの構成の一例を示すブロック図。
【図２】同実施の形態に係る物流システムハードウェア構成の例を示すブロック図。
【図３】ロケーションデータの一例を示す図。
【図４】出荷データの一例を示す図。
【図５】同実施の形態に係る物流システムの積み込み及び配送支援動作を示すフローチャート。
【図６】同実施の形態に係る物流システムによって作成される積込指示書と配送指示書を用いた物品の積み込み状態及び配送状態の第１例を示す図。
【図７】同実施の形態に係る物流システムによって作成される積込指示書と配送指示書を用いた物品の積み込み状態及び配送状態の第２例を示す図。
【図８】積み込みが行われる倉庫棟の全てについての届先別積込指示書の一例を示す図。
【図９】積み込みが行われる倉庫棟単位の届先別積込指示書の一例を示す図。
【図１０】積み込みが行われる倉庫棟の全てについての物品別積込指示書の一例を示す図。
【図１１】配送指示書の一例を示す図。
【図１２】本発明の第２の実施の形態に係る物流システムの集荷及び配送支援動作を示すフローチャート。
【図１３】同実施の形態に係る物流システムによって作成される集荷指示書と配送指示書を用いた物品の集荷状態及び配送状態の第１例を示す図。
【図１４】同実施の形態に係る物流システムによって作成される集荷指示書と配送指示書を用いた物品の集荷状態及び配送状態の第２例を示す図。
【図１５】集荷指示書の一例を示す図。
【符号の説明】
１…物流システム、２…記録媒体、３…物流プログラム、４…設定機能、５…データ取得機能、６…車輌選択機能、７…物品選択機能、８…積込指示機能、９…配送指示機能、１０…出力機能、１１…記録部、１２…車輌属性データ、１３…物品属性データ、１４…ロケーションデータ、１５…積込ルートデータ、１６…配送ルートデータ、１７…出荷データ、１８…車輌データ、１９…物品選択データ、２０…積込指示データ、２１…集荷指示データ、２２…配送指示データ、２０Ａ〜２０Ｃ…積込指示データ
【図１】
2004277090.tif 000003
【図２】
2004277090.tif 000004
【図３】
2004277090.tif 000005
【図４】
2004277090.tif 000006
【図５】
2004277090.tif 000007
【図６】
2004277090.tif 000008
【図７】
2004277090.tif 000009
【図８】
2004277090.tif 000010
【図９】
2004277090.tif 000011
【図１０】
2004277090.tif 000012
【図１１】
2004277090.tif 000013
【図１２】
2004277090.tif 000014
【図１３】
2004277090.tif 000015
【図１４】
2004277090.tif 000016
【図１５】
2004277090.tif 000017